(57)【要約】  本発明は、方法及び電子装置を提供する。電子装置10は、新たなコンテンツを受信するための受信ユニット11、電子装置の利用可能なメモリ空間が不十分であるかを決定するための決定ユニット12、及び再整理されるべき古いコンテンツを予め設定された指示に従って選択するための選択ユニット13を有する。
2011503707.tif 000002
【特許請求の範囲】
【請求項１】
電子装置であって、
新たなコンテンツを受信するための受信ユニット、
当該電子装置の利用可能なメモリ空間が不十分かを決定するための決定ユニット、及び
予め設定された指示に従って、再整理されるべき古いコンテンツを選択するための選択ユニット、
を有する電子装置。
【請求項２】
選択されたコンテンツが、前記予め設定された指示に従ってオーバーフローされるか又は上書きされることにより再整理される、請求項１に記載の電子装置。
【請求項３】
選択されたコンテンツが前記予め設定された指示に従ってオーバーフローされる場合に、当該選択されたコンテンツを送信するための送信ユニットを更に有する、請求項２に記載の電子装置。
【請求項４】
前記決定ユニットが、受信されたコンテンツのサイズを最初に決定し、当該電子装置の利用可能なメモリ空間の容量を決定し、当該電子装置のメモリ空間が受信されたコンテンツを保持するのに十分かを最後に決定する、請求項１に記載の電子装置。
【請求項５】
前記選択ユニットがさらに、前記送信ユニットがコンテンツを送信するためのオーバーフローリストを形成する、請求項３に記載の電子装置。
【請求項６】
前記予め設定された指示が、
前記新たなコンテンツを記憶/閲覧することを拒否するための基準であって、ユーザの好み又はセキュリティを含む基準、
古いコンテンツを選択するための基準であって、ユーザの好み、コンテンツの記憶時間、コンテンツ品質又はカテゴリを含む基準、及び
選択された古いコンテンツを上書きするため又は選択された古いコンテンツをオーバーフローするための基準、
を含む、請求項３に記載の電子装置。
【請求項７】
前記送信されるコンテンツが付加情報を含み、前記付加情報は、前記送信されるコンテンツをロックするためのパスワード、前記送信されるコンテンツを共有するためのユーザの名前リスト、並びに、前記送信されるコンテンツを戻す時間及び/又は態様である、請求項３に記載の電子装置。
【請求項８】
コンテンツを管理する方法であって、
新たなコンテンツを受信するステップ、
電子装置の利用可能なメモリ空間が不十分かを決定するステップ、
予め設定された指示に従って、再整理されるべき古いコンテンツを選択するステップ、
を有する方法。
【請求項９】
選択されたコンテンツが、前記予め設定された指示に従って、オーバーフローするか又は上書きされることによって再整理される、請求項８に記載の方法。
【請求項１０】
選択されたコンテンツが前記予め設定された指示に従ってオーバーフローされるべき場合、選択されたコンテンツを送信するステップをさらに有する請求項９に記載の方法。
【請求項１１】
前記決定するステップが、受信されたコンテンツのサイズを最初に決定し、前記電子装置の利用可能なメモリ空間の容量を決定し、前記電子装置のメモリ空間が受信されたコンテンツを保持するのに十分かを最後に決定する、請求項８に記載の方法。
【請求項１２】
前記選択するステップがさらに、選択されたコンテンツを送信するためのオーバーフローリストを形成する、請求項１０に記載の方法。
【請求項１３】
前記予め設定された指示が、
前記新たなコンテンツを記憶/閲覧することを拒否するための基準であって、ユーザの好み又はセキュリティを含む基準、
古いコンテンツを選択するための基準であって、ユーザの好み、コンテンツの記憶時間、コンテンツ品質又はカテゴリを含む基準、及び
選択された古いコンテンツを上書きするため又は選択された古いコンテンツをオーバーフローするための基準、
を含む、請求項９に記載の方法。
【請求項１４】
送信されるコンテンツが付加情報を含み、前記付加情報が、オーバーフローされるコンテンツをロックするためのパスワード、オーバーフローされたコンテンツを共有するユーザの名前リスト、オーバーフローされたコンテンツを戻す時間及び/又は態様を含む、請求項１０に記載の方法。
【請求項１５】
前記受信するステップがさらに、前記送信されたコンテンツを受け戻すことを目的とする、請求項１０に記載の方法。
【発明の詳細な説明】
【技術分野】
【０００１】
本発明は、コンテンツを管理するための方法及び電子回路装置に関する。
【背景技術】
【０００２】
デジタル画像技術の最近の発展によって、デジタル画像を表示及び処理することができるさまざまなモバイルデジタル装置が用いられるようになった。特に、従来の紙のフォトフレームに取って代わる電子フォトフレームが市場に投入された。例えば、中国特許番号CN200410056498Xに記載される電子フォトフレームは、中央制御ユニット、表示パネル、内部記憶ユニット、送信インタフェース、及び、携帯型記憶メディアのためのコントローラを有する。適切なプログラムの制御の下で、中央制御ユニットは、外部のデジタル写真を取得して、内部記憶ユニット中にそれらを記憶し、当該内部記憶ユニットからデジタル写真を読み出し、表示パネル(例えば液晶ディスプレイ画面) 上にそれらを表示するように動作する。
【０００３】
一方、ネットワーク伝送技術の発展によって、市場の電子フォトフレームは、ネットワークから、特にネットワークを通して、画像を受信することが可能である。
【０００４】
新たな画像共有方式が最近登場した。例えば、Flikr.comのようないくつかのウェブサイトは様々な画像共有サービスを提供し、そして画像閲覧機能を有する電子フォトフレームは、これらのウェブサイトを通して画像を共有することができる。この画像を共有する方式は、次の動作で実現される。電子フォトフレームは、ウェブサイト上の特定のグループのスペース中のメンバーの名義に対応する。電子フォトフレームは、ウェブサイト上の特定のスペースに画像をアップロードし、その画像を共有するために、前記特定のグループのメンバーの一人若しくは複数人、又は全ての人を指定する。ウェブサイトは、特定されたメンバーに対応する電子フォトフレームに接続されて、その電子フォトフレームに画像を送信する。したがって、異なるスペースの電子フォトフレームは同じ画像を閲覧することができ、そして通信速度が非常に高速であるので、電子フォトフレームのユーザは、ほぼリアルタイムで他のメンバーによって送信される画像を楽しむことができる。
【発明の概要】
【発明が解決しようとする課題】
【０００５】
しかしながら、デジタル画像がますます大きくなっている一方で、既存の電子フォトフレームのメモリ空間は一般にそれ程大きくなく、メモリ空間はしばしばオーバーフローするが、画像を他の固定の記憶メディアに保存するために転送することは、あまり利便性が良くない。もちろん記憶メディアのスペースを増加させることによって問題は解決されることができるが、これは、製造コスト及び電子フォトフレームの価格を増加させる。
【課題を解決するための手段】
【０００６】
本発明の目的は、コンテンツを管理するための改善された電子装置及び方法を提供することである。
【０００７】
この電子装置(10)は、新たなコンテンツを受信するための受信ユニット(11)、電子装置の利用可能なメモリ空間が不十分であるかを決定するための決定ユニット(12)、及び、予め設定された指示に従って再整理されるべき古いコンテンツを選択するための選択ユニット(13)を有する。
【０００８】
本発明の電子装置は、電子装置のメモリ空間が不十分なときに、新たなコンテンツを受信して、古いコンテンツを再整理することができる。したがって、本発明の電子装置は、低コストのハードウェアで、より便利かつ柔軟に、コンテンツを受信して記憶することができる。
【０００９】
本発明はさらに、コンテンツを管理するために、電子装置を用いた方法を含む。
【図面の簡単な説明】
【００１０】
【図１】本発明の一つの実施の形態による電子装置の概略図。
【図２】本発明の一実施例によるコンテンツを管理する方法のフローチャート。
【発明を実施するための形態】
【００１１】
サーバと電子装置との間のコンテンツの伝送は、対応するプロトコルがそれらの間に設定されることを必要とし、対応する機能を達成するためのソフトウェアが、サーバと電子装置との間にインストールされることを必要とする。電子装置は、フォトフレーム、個人情報機器、ラップトップコンピュータなどであることができる。コンテンツは、写真、音声、ビデオ、画像、テキスト文書などであることができる。当業者にとって明らかであるように、そのようなソフトウェアは、さまざまな言語(例えばC、VC++、VB、LINIXなど)で記述されることができる。ソフトウェアのコード言語は本発明の主要な関心事ではないので、それらはそれ以上説明されない。
【００１２】
電子装置はサーバによって提供されるサービスを受け取るので、最初に、そのようなサービスを提供するネットワークを説明する必要がある。
【００１３】
特に、サーバは、サーバ記憶空間中に一つ以上のユーザグループを作成するために、ユーザの登録を受信することができる。そのようなユーザグループは、コンテンツを記憶するための公開のサーバ記憶空間を持つ。グループの各メンバーは、さらに、自分自身の個人的なサブスペースを持つこともできる。ユーザグループは一般に、特定の個人的な関係(例えば家族、友人、学友、同僚など)に基づいて作成される。そのようなグループは一般に複数のメンバーを含む。グループメンバは、共通メンバー及び特別メンバーに分類されることができ、そして、実際には、異なる分類のメンバーは、グループの運用についての異なる権利を持つことができる。本明細書において、メンバーは、例えばIPプロトコルアドレスなどを通して特定の電子デバイスに対応する。
【００１４】
電子装置は、ネットワークを通してサーバの共用メモリ空間にコンテンツを送信して、有効なグループメンバ(例えば「張三」、「李四」など) から当該コンテンツを閲覧することができるメンバーの名前を選択する。続いて、サーバは、グループメンバに対応する電子デバイスに前記コンテンツを送信する。
【００１５】
図1に示されるように、本発明の一つの実施の形態による電子装置10は、受信ユニット11、決定ユニット12、選択ユニット13及び送信ユニット14を有する。
【００１６】
受信ユニット11は、新たなコンテンツを受け取るために用いられる。一つ以上のコンテンツが受信される場合があり、そして、受信されるコンテンツは、サーバ(この図には示されない)又は他の無線装置から来る場合がある。
【００１７】
決定ユニット12は、電子装置10の利用可能なメモリ空間が不十分であるかを決定するために用いられる。決定ユニット12は、最初に、受信されたコンテンツのサイズを決定することができ、そして電子装置10の利用可能なメモリ空間の容量を決定することができ、最後に、受信されたコンテンツを収容するのに十分な空きを電子装置のメモリが持つかを決定することができる。
【００１８】
選択ユニット13は、予め設定された指示に従って、再整理されるべき古いコンテンツを選択するために用いられる。選択されたコンテンツは、サーバへとオーバーフローされることによって、又は、受信されたコンテンツによって上書きされることによって、再整理される。
【００１９】
選択ユニット13はさらに、決定ユニット12がメモリ空間が不十分であると決定した後で、受信されたコンテンツのサイズ、電子装置の利用可能なメモリ空間及び予め設定された指示に従って、再整理されるべきコンテンツを選択することができる。
【００２０】
予め設定される指示は、ユーザによって、サーバの協力者によって、又は対応する製造者によって電子装置10中に、予め設定されることができる。選択ユニット13はさらに、オーバーフローされるべく選択されたコンテンツによるオーバーフローリストを形成するように構成される。
【００２１】
予め設定される指示は下記を含むことができる。
1). 新たなコンテンツを記憶/閲覧することを拒否する。ユーザが新たなコンテンツを記憶/閲覧することを望まないかどうかの基準は、ユーザの好み又は電子装置のシステムセキュリティに従って定められることができる。
2). 再整理されるべき古いコンテンツを、予め設定されたユーザの好み、コンテンツの記憶時間、コンテンツ品質、カテゴリなどに基づいて選択する。例えば、電子装置10中に長期間記憶されたコンテンツが最初に再整理されたり、貧弱な品質のコンテンツが最初に再整理されたり、ユーザが好まないコンテンツが最初にオーバーフローされるなどである。
3). 選択された古いコンテンツを上書きする、又は、選択された古いコンテンツをサーバ若しくは他の無線装置へとオーバーフローさせる。
【００２２】
送信ユニット14は、オーバーフローされるべく選択されたコンテンツを、サーバ又は他の無線装置に送信するように構成される。送信ユニット14はさらに、選択されたコンテンツをオーバーフローリストに従ってサーバに送信するように構成される。送信されるコンテンツは、その製造者、サーバの協力者又はユーザによって電子装置10中に予め設定されることができる付加情報を含むことができる。前記付加情報は、オーバーフローされるコンテンツをロックするためのパスワード、オーバーフローされるコンテンツを共有するためのユーザの名前リスト、オーバーフローされたコンテンツを戻す時間及び/又は態様などであることができる。一つ以上のコンテンツがオーバーフローされる場合があり、それぞれが異なる付加情報を持つことができる。オーバーフローされたコンテンツがサーバから戻される場合、受信ユニット11はさらに、サーバから戻される前記コンテンツを受信するために用いられる。
【００２３】
受信ユニット11はサーバ又は他の無線装置からコンテンツを受信し、受信されたコンテンツは、閲覧又は記憶されるために電子装置のバッファ中に一時的に保持される。前記受信されたコンテンツが長期間記憶されるべきである場合、送信ユニット14がオーバーフローされるべきコンテンツの送信を終えた後で、送信されたコンテンツは電子装置10のメモリ空間から除去され、バッファ中に記憶される受信されたコンテンツは電子装置10のメモリ空間へと転送される。
【００２４】
電子装置の上述のユニットの機能は、中央処理装置によって制御されることができる。電子装置は、サーバを通して他の電子装置からコンテンツを受信することができ、さらに、電子装置のメモリ空間が不十分なときに、サーバを通して他の電子装置に古いコンテンツを送信することができる。さらに、オーバーフローされたコンテンツは、後にそのオーバーフローされたコンテンツが再記憶されることができる場合、電子装置のメモリ空間に戻されることができる。
【００２５】
上述の実施の形態の電子装置は、ユーザ、製造者又は協力者の要求に従って予め設定されることができ、以下の２つの方式のうちの少なくとも一方で動作する。
【００２６】
図2は、本発明の一実施例に従ってコンテンツを管理する方法のフローチャートを示す。この方法は、以下のステップを含む。
【００２７】
第１のステップは、新たなコンテンツを受信することである(21)。受信されたコンテンツは、サーバ又は他の無線装置から来ることができる。一つ以上のコンテンツが受信される場合がある。
【００２８】
第２のステップは、電子装置の利用可能なメモリ空間が不十分であるかを決定することである(22)。この決定ステップは、受信されたコンテンツのサイズを最初に決定し、そして電子装置の利用可能なメモリ空間の容量を決定し、最後に、電子装置のメモリが受信されたコンテンツを保持するのに十分な空きを持つかどうかを決定することができる。
【００２９】
第３のステップは、予め設定された指示に従って、再整理されるべき古いコンテンツを選択することである(23)。選択されたコンテンツは、サーバへとオーバーフローされることによって又は受信されたコンテンツによって上書きされることによって、再整理されることができる。
【００３０】
選択ステップ23はさらに、再整理されるべき古いコンテンツを、受信されたコンテンツのサイズ、電子装置の利用可能なメモリ空間及び予め設定された指示に従って選択することを意図することができる。予め設定された指示は、サーバの協力者によって、ユーザによって、又はその製造者によって電子装置中に、予め設定されることができる。
【００３１】
選択ステップ23はさらに、選択されたコンテンツに従ってオーバーフローリストを形成することを含む。前記予め設定された指示は、以下を含むことができる。
1). 新たなコンテンツを記憶/閲覧することを拒否する。ユーザが新たなコンテンツを記憶/閲覧することを望まないかどうかの基準は、ユーザの好み又は電子装置のシステムセキュリティに従って定められることができる。
2). 再整理されるべき古いコンテンツを、予め設定されたユーザの好み、コンテンツの記憶時間、コンテンツ品質、カテゴリなどに基づいて選択する。例えば、電子装置10中に長期間記憶されたコンテンツが最初に再整理されたり、貧弱な品質のコンテンツが最初に再整理されたり、ユーザが好まないコンテンツが最初にオーバーフローされるなどである。
3). 選択された古いコンテンツを上書きする、又は、選択された古いコンテンツをサーバ若しくは他の無線装置へとオーバーフローさせる。
【００３２】
第４のステップは、サーバへとオーバーフローされるべく選択されたコンテンツを送信することである(24)。送信ステップ24は、オーバーフローリストに従って、サーバへとオーバーフローされるコンテンツを送信することをさらに意図する。送信されるコンテンツは、その製造者、サーバの協力者又はユーザによって電子装置10中に予め設定されることができる付加情報を含むことができる。前記付加情報は、オーバーフローされるコンテンツをロックするためのパスワード、オーバーフローされるコンテンツを共有するためのユーザの名前リスト、オーバーフローされたコンテンツを戻す時間及び/又は態様などであることができる。一つ以上のコンテンツがオーバーフローされる場合があり、それぞれが異なる付加情報を持つことができる。オーバーフローされたコンテンツがサーバから戻される場合、受信ユニット11はさらに、戻される前記コンテンツを受信するために用いられる。
【００３３】
受信ステップ21は、サーバ又は他の無線装置からコンテンツを受信することをさらに意図し、そして受信されたコンテンツは、閲覧又は記憶されるべく電子装置のバッファ中に一時的に保持される。前記受信されたコンテンツが長期間記憶されるべきである場合、送信ステップ24がサーバ又は他の無線装置へとオーバーフローされるべきコンテンツの送信を終えた後で、送信されたコンテンツは電子装置10のメモリ空間から除去され、バッファ中に記憶される受信されたコンテンツが電子装置10のメモリ空間へと転送される。
【００３４】
受信ステップ21はさらに、送り戻されるコンテンツを受信することを意図する。
【００３５】
以下において、２つの方式(又は例)が本発明による電子装置を説明するために与えられる。
【００３６】
方式1
リアルタイムで又は周期的にコンテンツを受信して、それらを閲覧することなく、電子装置のメモリ空間中にそれらを記憶する。利用可能なメモリ空間が不十分な場合、新たに受信されたコンテンツのためのメモリ空間を解放するために、オーバーフローされるべきコンテンツが予め設定された指示に従って自動的に選択されて、サーバ又は他の無線装置に送信される。
【００３７】
方式2
リアルタイムで又は周期的に他の電子装置によってアップロードされるコンテンツを受信し、すべての受信されたコンテンツを閲覧して、受信されたコンテンツが保存される必要があるかを決定し、保存される必要があるコンテンツを保存して、不要なコンテンツを破棄する。
【００３８】
加えて、記憶の間に電子装置のメモリ空間が不十分であることが分かった場合、再整理されるべきコンテンツが予め設定された指示に従って選択され、選択されたコンテンツがオーバーフローされるべき場合には、選択されたコンテンツをサーバのメモリ空間に送信し、そして、新たなコンテンツのためのメモリ空間を解放するように、前記送信されたコンテンツが電子装置のメモリ空間から除去される。
【００３９】
上述の２つの方式は、排他的であったり独立であったりすることなく、例えば、手動で又はプログラムにより設定されるように自動的に、相互に切り替えられることができる。
【００４０】
上述の実施の形態は本発明を制限ではなく説明するものであり、当業者であれば、添付の請求の範囲から逸脱することなく、他の実施の形態を設計することができることが留意されるべきである。請求の範囲において、括弧間のいかなる参照符号も請求の範囲を制限するものとして解釈されてはならない。「有する」「含む」などの用語は、請求の範囲に挙げられていない要素又はステップの存在を除外しない。単数形で表現された要素は、そのような要素が複数存在することを除外しない。本発明は、いくつかの別個の要素から成るハードウェアによって、そして、適切にプログラムされたコンピュータによって実施されることができる。いくつかの手段又はステップを列挙する請求項において、これらの手段又はステップのいくつかは、同一のハードウェアアイテムによって実現されることができる。第１、第２及び第３などの用語の使用は、いかなる順序付けをも表さない。これらの用語は名前と解釈されるべきである。
【図１】
2011503707.tif 000003
【図２】
2011503707.tif 000004
【国際調査報告】
2011503707.tif 000005
2011503707.tif 000006
2011503707.tif 000007